(57)【要約】      （修正有）【課題】複数の購買客による商品の取り出しを可能とするショーケースを提供する。【解決手段】ショーケース１０は、商品陳列台１４と、商品陳列台上に互いに間隔をおいて配置されかつ商品陳列台に支持された一対の支柱１６と、両支柱に該両支柱に沿って上下動可能であるように取り付けられた、商品陳列台上に配置される商品をその上方から覆うカバー１８と、両支柱に設けられた、カバーを任意の高さ位置に保持する保持機構とを備える。カバー１８は、天板部２２と、天板部２２に連なる、互いに相対する２つの側板部２４とからなり、天板部２２及び側板部２４が下方に向けて開放する開放面２８を規定する。カバー１８は、その天板部２２に取り付けられた取手３０を介して、両支柱１６に対して上下動させることができる。天板部２２及び側板部２４は、好ましくは透明板からなる。これにより、カバー１８を通して、商品陳列台１４上に載置される前記商品を観察することができる。【選択図】図１
0003191501.tif 000002
【実用新案登録請求の範囲】
【請求項１】
商品陳列台と、
前記商品陳列台上に互いに間隔をおいて配置されかつ前記商品陳列台に支持された一対の支柱と、
両支柱に該両支柱に沿って上下動可能であるように取り付けられたカバーであって前記商品陳列台上に配置される商品をその上方から覆うカバーと、
両支柱に設けられた、前記カバーを任意の高さ位置に保持する保持機構とを含む、ショーケース。
【請求項２】
両支柱に前記カバーを吊持する、ドラムに巻かれた一対の定荷重ばねからなる、請求項１に記載のショーケース。
【請求項３】
さらに、前記カバーを両支柱の上下方向へ案内する案内機構を含む、請求項１又は２に記載のショーケース。
【請求項４】
前記案内機構は、各支柱に取りつけられ該支柱に沿って上下に伸びる、チャンネル形の横断面形状を有するレールと、前記カバーに取りつけられた複数のローラであって前記レール内に受け入れられ該レール上を転動可能である複数のローラとからなる、請求項１〜３のいずれか１項に記載のショーケース。
【請求項５】
前記カバーは透明である、請求項１〜４のいずれか１項に記載のショーケース。
【考案の詳細な説明】
【技術分野】
【０００１】
本考案は、例えばスーパーマーケットのような店舗に設置され、商品の陳列に用いられるショーケースに関する。
【背景技術】
【０００２】
惣菜やパンのような非包装の商品の販売に際し、当該商品がほこりに晒されないように、商品をショーケース内に陳列することが行われている。ショーケースはその内部に配置された商品が見えるように構成された透明なハウジングからなる。前記ハウジングはこれに設けられた商品の取り出し口を有するところ、従来においては、前記取り出し口の開閉手段として、透明な２枚の引き戸が用いられている。これによれば、２枚の引き戸の一方を引いて前記取り出し口を開け、内部の商品の取り出しを行うことができる。しかし、このとき、前記一方の引き戸は他方の引き戸と重なり合った状態にあるため、他の購買客は他方の引き戸を引いて商品を取り出すことができない。
【考案の概要】
【考案が解決しようとする課題】
【０００３】
本考案の目的は、複数の購買客による商品の取り出しを可能とするショーケースを提供することにある。
【課題を解決するための手段】
【０００４】
本考案に係るショーケースは、商品陳列台と、該商品陳列台上に互いに間隔をおいて配置されかつ前記商品陳列台に支持された一対の支柱と、両支柱に該両支柱に沿って上下動可能であるように取り付けられたカバーであって前記商品陳列台上に配置される商品をその上方から覆うカバーと、両支柱に設けられた、前記カバーを任意の高さ位置に保持する保持機構とを備える。
【０００５】
本考案によれば、商品陳列台上に惣菜のような商品を載置することができ、また、前記商品陳列台上の商品は該商品をその上方から覆うカバーによりほこりの堆積を防止することができる。また、前記カバーは前記商品を上方から覆うものであるため、その下方の周囲四方から、複数の購買客が前記商品陳列台上に陳列された商品を容易に取り出すことができる。さらに、前記カバーはこれが取り付けられた両支柱に対して上下動可能であり、保持機構により任意の高さ位置に保持されることから、前記商品陳列台上における商品の陳列の仕方（例えばひな壇上への陳列）に従った高さ位置への前記カバーの保持が可能であり、これにより、前記商品の取り出しをより一層容易にすることができる。
【０００６】
前記カバーを任意の高さ位置に保持する前記保持機構は、好ましくは、前記カバーを両支柱にそれぞれ吊持する一対の定荷重ばねからなる。
【０００７】
また、前記ショーケースは、好ましくは、前記カバーを両支柱の上下方向へ案内する案内機構を備える。前記案内機構は、例えば、各支柱に取りつけられ該支柱に沿って上下に伸びる、チャンネル形の横断面形状を有するレールと、前記カバーに取りつけられた複数のローラであって前記レール内に受け入れられ該レール上を転動可能である複数のローラとからなるものとすることができる。これによれば、前記カバーは、複数のローラの前記レール上での転動により、両支柱に沿って円滑に上下動する。
【０００８】
前記カバーは好ましくは透明である。前記カバーを透明とすることにより、前記カバーを通して前記商品を観察することができる。
【図面の簡単な説明】
【０００９】
【図１】本考案に係るショウケースの正面図である。
【図２】ショーケースの側面図である。
【図３】図１の線３−３に沿って得た部分断面図である。
【図４】図１の線４−４に沿って得た部分断面図である。
【図５】図２の線５−５に沿って得た部分断面図である。
【考案を実施するための形態】
【００１０】
図１及び図２を参照すると、本考案に係るショーケースが全体に符号１０で示されている。
【００１１】
ショーケース１０は、惣菜やパンのような袋詰めされていない商品（図示せず）が陳列される陳列面１２を規定する商品陳列台１４を備える。図示の商品陳列台１４は全体に箱状を呈し、陳列面１２は矩形の平面形状を有する。商品陳列台１４は、図示の例に代えて、例えばテーブル状のものとすることができる。
【００１２】
ショーケース１０は、さらに、一対の支柱１６と、カバー１８とを備える。
【００１３】
両支柱１６は陳列面１２上に互いに間隔をおいて配置されかつ商品陳列台１４に支持され、陳列面１２から垂直上方へ伸びている。両支柱１２は、好ましくは、矩形の陳列面１２の２つの隅に配置される。これにより、陳列面１２における商品配置スペースをより有効に活用することができる。
【００１４】
両支柱１６は水平に伸びる梁部材２０を介して相互に連結されている。図示の梁部材２０は、製造上の便宜のため、両支柱１６と一体に形成されている。各支柱１６は、図示の例では、Ｃ形の横断面形状を有する金属材料からなる（図３参照）。
【００１５】
カバー１８は両支柱１６に該両支柱に沿って上下動可能に取り付けられている。カバー１８は商品陳列台１４の陳列面１２上に載置される前記商品をその上方から覆い、陳列面１２上に載置される前記商品上へのほこりの堆積を防止する働きをなす。
【００１６】
図示のカバー１８は、天板部２２と、天板部２２に連なる、互いに相対する２つの側板部２４とからなり、天板部２２及び側板部２４が下方に向けて開放する開放面２８を規定する。カバー１８は、その天板部２２に取り付けられた取手３０を介して、両支柱１６に対して上下動させることができる。天板部２２及び側板部２４は、好ましくは透明板からなる。これにより、カバー１８を通して、商品陳列台１４上に載置される前記商品を観察することができる。
【００１７】
ショーケース１０は、さらに、両支柱１６に設けられた、カバー１６を任意の高さ位置に保持する保持機構３２（図４及び図５参照）を備える。
【００１８】
保持機構３２は、図示の例にあっては、カバー１８を両支柱１６にそれぞれ吊持する一対の定荷重ばね３４からなる。定荷重ばね３４はＣ型と呼ばれるものからなり、ドラム３６の周囲に巻き付けられている。定荷重ばね３４は、ドラム３６に固定された一端部（図示せず）と、自由端部である他端部３８とを有する。他端部３８は、カバー１８の側板部２４にねじ部材４１により固定された、Ｈ形の横断面形状を有する継ぎ部材４４に複数のねじ部材４５により固定されている。ドラム３６は、一対のブラケット４０を介して、複数のねじ部材４３により、梁部材２０、より詳細には、該梁部材内を水平方向に伸びる板部材４２に固定され、吊持されている。これにより、定荷重バネ３４は梁部材２０を介して各支柱１６に支持されている。定荷重ばね３４は、ドラム３６から引き出しても、押し戻しても、あるいはそのストロークが長くても、常に一定の力で移動する性質を有することから、一対の定荷重ばね３４はこれらに吊持されたカバー１８を任意の高さ位置に保持する。
【００１９】
ショーケース１０は、好ましくは、カバー１８を両支柱１６に沿ってこれら上下方向へ案内する案内機構４６を備える（図３〜図５参照）。
【００２０】
案内機構４６は、一対のレール４８と、各レール４８上を転動可能である複数（図示の例では３つ）のローラ５０とからなる。レール４８は、図３に示すように、チャンネル形の横断面形状を有し、複数のローラ５０はレール４８内に受け入れられている。
【００２１】
レール４８は、複数のねじ部材５２により各支柱１６に取り付けられ、支柱１６に沿って上下方向へ伸びている。他方、３つのローラ５０は、レール４８の長手方向へジグザグに配置され、かつ、プレート５４に水平軸５６を介して該水平軸の周りに回転可能に取り付けられている。これらのローラ５０は、プレート５４において複数のねじ部材５８により継ぎ部材４４に固定されており、継ぎ部材４４を介してカバー１８の各側板部２４に取り付けられている。また、レール４８は、その上端部に、ローラ５０の上方への移動を制限するためにプレート５４が係止可能であるストッパ６０を有する。
【００２２】
したがって、カバー１８は、案内機構４６の各レール４８に対する複数のローラ５０の転動により、支柱１６に沿っての上下動を円滑に案内される。このため、購買客自身の手で比較的小さい力をもってカバー１８を任意の高さ位置まで移動させることができる。
【符号の説明】
【００２３】
１０  ショーケース
１４  商品陳列台
１６  支柱
１８  カバー
３４  保持機構
４６  案内機構
４８  レール
５０  ローラ
【図１】
0003191501.tif 000003
【図２】
0003191501.tif 000004
【図３】
0003191501.tif 000005
【図４】
0003191501.tif 000006
【図５】
0003191501.tif 000007
【手続補正書】
【提出日】平成26年4月25日(2014.4.25)
【手続補正１】
【補正対象書類名】実用新案登録請求の範囲
【補正対象項目名】請求項４
【補正方法】変更
【補正の内容】
【請求項４】
前記案内機構は、各支柱に取りつけられ該支柱に沿って上下に伸びる、チャンネル形の横断面形状を有するレールと、前記カバーに取りつけられた複数のローラであって前記レール内に受け入れられ該レール上を転動可能である複数のローラとからなる、請求項３に記載のショーケース。